(57)【要約】【課題】  内蔵マイクと外部マイク入力端子を備えたビデオカメラ装置において、外部マイク接続時にその接続状態が音声信号を入力出来ない状態だった場合でも、音声記録を確実に保証する。【解決手段】  接続された外部マイクからの信号を検出する手段を設け、もしその検出結果から外部マイクからの信号が正常に入力されていないと判断される場合、強制的に備え付けの内蔵マイクに切り換え、音声記録を確実に保証する。【選択図】  図３
2006109136.tif 000002
【特許請求の範囲】
【請求項１】
外部マイク入力端子と備え付けマイクを備え、外部マイクが接続された場合外部マイクからの音声信号が選択的に入力される構成において、外部マイクが接続されたことを検出する外部マイク接続検出手段と、外部マイクからの入力信号を検出する外部マイク入力信号検出手段と、その検出結果をある時間周期で確認し外部マイクが正常に接続されていないことを検出する外部マイク異常接続検出手段を持ち、この情報から外部マイク接続入力切り換えを強制的に内蔵マイク入力に切り換える強制内蔵マイク切り換え手段を備えることを特徴とするビデオカメラ装置。
【請求項２】
外部マイク入力信号検出手段に加え、内蔵マイク入力信号検出手段を持ち、前記二つの検出手段の出力比較から外部マイク接続の異常を検出する手段を持つことを特徴とする請求項１記載のビデオカメラ装置。
【請求項３】
前記強制内蔵マイク切り換え手段にて、内蔵マイクに切り換えられた場合、内蔵マイクに関わる設定値を外部マイク入力検出中にも関わらず反映させることを特徴とする請求項１記載のビデオカメラ装置。
【発明の詳細な説明】
【技術分野】
【０００１】
本発明は内蔵マイクと外部マイク端子を備えたビデオカメラ装置に関するものである。
【背景技術】
【０００２】
従来内蔵マイクと外部マイク端子を備えたビデオカメラ装置では、外部マイク端子に外部マイクが接続された場合に、入力するマイクを外部マイクに切り換えて記録するものが一般的である。この時、外部マイクのバッテリーが切れている場合やプラグの接続が正常でない場合、撮影者は無音状態で撮影を続け再生時に音声が記録されていないことに気づく場合があった。
【０００３】
このような不具合に対応する手法として音声を確認するモードを設け、外部マイクが接続された状態でそのモードに移行すると、撮影者に外部マイクが正常に接続されていることを伝える手段を施したものがある。（例えば特許文献１参照）。
【０００４】
以下、特許文献１に開示の図１を参照して従来の外部マイク接続状態の不具合に対応する手法について説明する。
【０００５】
図１は従来の外部マイク接続状態の不具合に対応するための手法を説明する図であり、図１において１は外部マイクの信号入力をするところの外部マイク入力端子、２はマイク入力の切換するところのマイク入力切換部、３はマイクからの入力を増幅するところのマイクアンプ、４は外部マイク入力端子１に外部マイクの信号系プラグが接続されたことを検出するところの外部マイク入力端子接続検出部、５は集音するところの内蔵マイク、６は音声信号の信号処理を行うところのオーディオ信号処理部、７はビデオカメラ装置全体の制御を行うところのシステムコントロール部、８は音声信号を出力するところのスピーカ、９はスピーカを駆動するところのスピーカドライバ、１０は音声確認モードにユーザーが任意の期間で移行させる入力を行うところの音声確認モード切換入力部である。
【０００６】
以下図１について各ブロックの動作説明を行う。
【０００７】
ビデオカメラ本体に外部マイクを取り付けユーザーが撮影する時、外部マイクの信号系プラグを図１中の外部マイク入力端子１に接続し、外部マイクに外部電源の供給が必要な場合は外部マイクの電源系プラグをビデオカメラ本体の電源端子に接続する。又外部マイクが外部電源を必要としないバッテリー駆動の場合は、外部マイクの電源をオンし、その後ビデオカメラ本体の電源をカメラモードで立ち上げる。ビデオカメラ本体の電源が立ち上がると、外部マイク入力端子接続検出部４で外部マイクが接続されていることを検出し、その情報をシステムコントロール部７に伝達する。システムコントロール部７は外部マイクが接続されたことを認識し、音声確認モードに移行するための音声確認モード切換入力部１０からの入力を受け付ける状態となる。（音声確認モードとは、通常ハウリング防止のためマイク系入力が能動状態にある時にはスピーカドライバをオフ状態にしているが、それをユーザーが入力する任意の期間のみスピーカドライバをオンさせることで、外部マイクからの信号が正常に記録系に入力されているかスピーカで確認可能としたモードである。目的は外部マイクの音声信号が来ているか否かの確認なので、とくにハウリングを起こしても機能上問題ではない。）
前期状態からユーザーが外部マイク音声信号の確認をする場合、ビデオカメラ本体の音声確認モード切換入力部１０より任意の期間音声確認モードへ移行させるための入力操作を行う。その入力を受けたシステムコントロール部７は、スピーカドライバ９をオンさせる。この時オーディオ信号処理部６内のスピーカボリュームは最大となっている。この制御により、スピーカ８からは外部マイク入力端子１からの音声信号が出力され、ユーザーは外部マイクからの音声信号が正常に記録系に伝達されていることを確認する。もし外部マイクの電源系プラグを接続し忘れたり、バッテリー駆動の外部マイクの電源を入れ忘れた場合、スピーカから音声信号は出ないためユーザーはすぐその不具合に気付くことが出来る。ユーザーが音声確認モード切り換え入力部１０への入力操作を止めると、システムコントロール部７はそれを認識し、通常モードに戻しスピーカドライバ９をオフさせる。
【特許文献１】特開２００１−３２６９８９号公報
【発明の開示】
【発明が解決しようとする課題】
【０００８】
しかしながら、上記従来例では以下の様な不具合がある。
【０００９】
外部マイク接続状態での撮影時、撮影者が忘れずに音声確認モードに移行させて外部マイク音声の確認を行えば問題は無いが、撮影時は被写体の動きなど他の事に意識が向いている場合が多く、どうしてもチェックが抜けがちになる可能性が高い。更に、音声確認モードで確認作業を行ったとしても、周囲の音声レベルが高い時確認音がかき消されて確認できない場合や、静かなコンサート会場等音を出せる状況で無く確認が出来ない場合も想定される。
【００１０】
本出願に係る第一の発明の目的は、外部マイクの接続状態が仮に不具合を持っていても最低限音声の記録を保証することで、撮影者のミスを未然に防ぐ手段を提供することにある。
【課題を解決するための手段】
【００１１】
上記目的を達成するため本出願に係る第一の発明は、内蔵マイクと外部マイク端子を持つビデオカメラ装置において、外部マイク端子接続検出手段と、外部マイク系アンプ出力検出手段と、外部マイク入力レベルがある一定時間以上無音であることを検出する、外部マイク無音検出手段と外部マイク無音検出手段の結果を受けて、外部マイクが接続されていても内蔵マイクに強制的に切り換える内蔵マイク強制切り換え手段を持ち、外部マイクが接続されていても外部マイクからの信号レベルがある一定期間無音である場合は内蔵マイク強制切り換え手段により強制的に内蔵マイクに切り換え、音声記録を確実に保証することを特徴とする。
【００１２】
又上記目的を達成するため本出願に係る第二の発明は、内蔵マイクと外部マイク端子を持つビデオカメラ装置において、外部マイク端子接続検出手段と、外部マイク系アンプ出力検出手段と、内蔵マイク系アンプ出力検出手段と、外部内蔵マイクアンプ出力比較手段を持ち、外部マイクが接続されても、外部内蔵マイクアンプ出力検出手段により、外部マイクの入力レベルが著しく内蔵マイクの入力レベルより下回っていると判断された場合、外部マイクが接続されていても内蔵マイク強制切り換え手段により強制的に内蔵マイクに切り換え、音声記録を確実に保証することを特徴とする。
【発明の効果】
【００１３】
以上説明したように本発明によれば、外部マイク接続状態が不具合を持っていて尚且つ撮影者がそれに気付いていなくても、音声記録を確実に保証することが可能となる。
【発明を実施するための最良の形態】
【００１４】
（実施例１）
図２は本発明による外部マイク接続状態の不具合に対応するための手法を適用するビデオカメラ装置全体のブロック図を示したものであり、図２において１は光学画像を取り込むところのレンズ部、２は光学画像を電気信号に変換するところのＣＣＤ部、３はＣＣＤ部からの電気信号を処理するところのカメラ信号処理部、４はビデオカメラ装置全体の制御を行うところのシステムコントロール部、５は外部マイクからの音声信号を入力するところの外部マイク入力端子、６はマイクからの信号を増幅するところのマイクアンプ、７は音声信号を処理するところのオーディオ信号処理部、８は映像信号を処理するところのビデオ信号処理部、９は集音するところの内蔵マイク、１０は音声信号、映像信号の入出力を行うところの入出力部、１１は音声信号、映像信号のデジタル信号処理を行うところのデジタル信号処理部、１２は音声を出力するところのスピーカ、１３はスピーカ１２を駆動するところのスピーカドライバ、１４はヘッドに記録電流を流し又テープ上に磁気記録された信号を再生増幅するところのヘッドアンプ、１５はテープを動作させるところのメカ、１６はビデオカメラの動作情報を表示するところの表示部である。
【００１５】
次に図３は図２中のシステムコントロール部４、外部マイク入力端子５、マイクアンプ６、オーディオ信号処理部７、内蔵マイク９、表示部１６に適応された本発明を現す図であり図３において１は外部マイクを接続するところの外部マイク入力端子、２はマイクの入力切り換えを行うところのマイク入力切り換え部、３はマイクからの音声信号を増幅するところのマイクアンプ、４はビデオカメラ本体に装備されるところの内蔵マイク、５は外部マイク入力に切り換わっている場合に入力される音声レベルを検出するところの外部マイク入力音声レベル検出、６は外部マイクが接続されたことを検出するところの外部マイク検出、７は各検出結果からマイクの入力切り換えやオーディオ信号処理の設定を制御するところのシステムコントロール部、８はマイクアンプ出力の信号処理を行うところのオーディオ信号処理部である。
【００１６】
以下図３について各ブロックの動作説明を行う。
【００１７】
撮影時に撮影者が外部マイクを外部マイク入力端子１に接続して電源を投入すると外部マイク検出部６はそれを検出しシステムコントロール部７にその情報を伝える。システムコントロール部７はこの情報より外部マイク入力端子１に外部マイクが接続されたと判断しマイク入力切り換え部２を外部マイク入力からの信号が接続されるように切り換える。この時からシステムコントロール部７は外部マイク入力音声レベル検出５からの値を監視し始める。任意の時間周期にそのレベルを見て、もしある規定された時間以上無音が続くと、システムコントロール部７は外部マイクの音声が正常に入力されていないと判断し、マイク入力切り換え部２を内蔵マイク側に切り換えると共に、メニュー設定画面などで内蔵マイクの時のみ選択できる周波数特性等の設定項目について、通常の内蔵マイクと同じ扱いで反映させるようオーディオ信号処理部８の処理を切り換え、更に表示部１６に撮影者に注意を促す表示を行う。以上の動作により万が一接続した外部マイクのバッテリー切れや、電源プラグの未接続などにより外部マイクの音が入力されない状況になったとしても、音声記録は確実に保証される。
【００１８】
（実施例２）
図４は図２中のシステムコントロール部４、外部マイク入力端子５、マイクアンプ６、オーディオ信号処理部７、内蔵マイク９、表示部１６に適応された本発明を現す図であり図４において１は外部マイクを接続するところの外部マイク入力端子、２は外部マイクからの入力信号を増幅するところの外部マイクアンプ、３はビデオカメラ本体に装備されているところの内蔵マイク、４は内蔵アンプからの入力信号を増幅するところの内蔵マイクアンプ、５は内蔵マイク３と外部マイク入力端子１からの信号を切り換えるところのマイク入力切り換え部、６は外部マイク入力端子１に外部マイクが接続されたことを検出するところの外部マイク入力端子検出、７は内臓マイクアンプ４の出力レベルを検出するところの内蔵マイク入力音声レベル検出、８はオーディオの信号処理を行うところのオーディオ信号処理部、９は内蔵マイク入力音声レベル検出７の出力と外部マイク入力音声レベル検出１０のレベルを比較するところの内蔵外部マイク入力レベル比較部、１０は外部マイクアンプの出力レベルを検出するところの外部マイク入力音声レベル検出、１１は各検出結果から、各部を制御するところのシステムコントロール部、１２はシステムコントロール部１１からの制御により表示を行うところの表示部である。
【００１９】
以下図４について各ブロックの動作説明を行う。
【００２０】
撮影時に撮影者が外部マイクを外部マイク入力端子１に接続して電源を投入すると外部マイク検出部６はそれを検出しステムコントロール部１１にその情報を伝える。システムコントロール部１１はこの情報より外部マイク入力端子１に外部マイクが接続されたと判断しマイク入力切り換え部５を外部マイク入力からの信号が接続されるように切り換える。この時システムコントロール部１１は内蔵マイク入力音声レベル検出７と外部マイク入力音声レベル検出１０の出力を比較する内蔵外部マイク入力レベル比較部９の検出結果を見る。内蔵マイク３からの信号はあるレベルで入力されているのに外部マイク入力端子からの信号がほとんど無音の場合、内蔵外部マイク入力レベル比較部９の検出結果はある値を示し、システムコントロール部１１は外部マイク入力端子１に接続されている外部マイクの動作が正常でないと判断し、マイク入力切り換え部５を内蔵マイク側に切り換えると共に、メニュー設定画面などで内蔵マイクの時のみ選択できる周波数特性等の設定項目について、通常の内蔵マイクと同じ扱いで反映させるようオーディオ信号処理部８の処理を切り換え、更に、表示部１２上に撮影者に外部マイクの音声が異常なことを伝えるメッセージを表示する。以上の動作により万が一接続した外部マイクのバッテリー切れや、電源プラグの未接続などにより外部マイクの音が入力されない状況になったとしても、音声記録は確実に保証される。
【図面の簡単な説明】
【００２１】
【図１】従来の実施例に係る外部マイク接続時の不具合への対応手法の構成を示した図である。
【図２】本発明の第一の実施例に係るビデオカメラ装置全体の構成を示す図である。
【図３】本発明の第一の実施例に係る外部マイク接続時の不具合への対応手法の構成を示した図である。
【図４】本発明の第二の実施例に係る外部マイク接続時の不具合への対応手法の構成を示した図である。
【図５】本発明の第一の実施例に係る外部マイク接続時の不具合への対応手法をフローチャートで示した図である。
【図６】本発明の第二の実施例に係る外部マイク接続時の不具合への対応手法の構成をフローチャートで示した図である。
【図７】本発明の第一の実施例に係る外部マイク接続時の不具合を撮影者に伝える表示の例を示した図である。
【図１】
2006109136.tif 000003
【図２】
2006109136.tif 000004
【図３】
2006109136.tif 000005
【図４】
2006109136.tif 000006
【図５】
2006109136.tif 000007
【図６】
2006109136.tif 000008
【図７】
2006109136.tif 000009